(57)【要約】      （修正有）【課題】長期にわたって防水性能を維持し、また、手間のかかる作業の回避を図ることができる部品固定構造を提供する。【解決手段】携帯機器の部品固定構造は、シール部材１３を介して筐体の外面に取り付けられる第１の部品５と、第１の部品５に対して筐体の内部方向への付勢力３６を付与するための第２の部品１２とを備える。付勢力により、シール部材の防水性能を高め、且つ、第１の部品を確実に固定することができる。【選択図】図６
0003155689.tif 000002
【実用新案登録請求の範囲】
【請求項１】
シール部材を介して筐体の外面に取り付けられる第１の部品と、
前記第１の部品に対して前記筐体の内部方向への付勢力を付与するための第２の部品と
を備えたことを特徴とする携帯機器の部品固定構造。
【請求項２】
前記第２の部品は、前記筐体の内部で前記第１の部品の被係合部と係合する係合部を有し、
該係合部が前記第１の部品の被係合部と係合する際に前記付勢力を発生することを特徴とする請求項１に記載の携帯機器の部品固定構造。
【請求項３】
前記第２の部品は、前記筐体の内部に実装されている音響部品に対して押し付け力を付与する押し付け部を有していることを特徴とする請求項１に記載の携帯機器の部品固定構造。
【請求項４】
前記第２の部品は、前記筐体の内部に敷設される軟性伝送線路を案内する案内部を有していることを特徴とする請求項１に記載の携帯機器の部品固定構造。
【考案の詳細な説明】
【技術分野】
【０００１】
本考案は、携帯機器の部品固定構造に関し、たとえば、携帯情報端末や携帯電話機などの携帯機器に好適な部品固定構造に関する。
【背景技術】
【０００２】
一般的にＰＤＡ（パーソナル・デジタル・アシスタント）などとも呼ばれる携帯情報端末や携帯電話機などの携帯機器にあっては、充電器等の外部機器からの電気信号を取り込むための外部接続端子を有している。一方で、このような携帯型の機器に対しては、様々な環境下での使用を考慮して充分な防水性能が求められていることから、雨水等の浸入の可能性がある上記の部品（外部接続端子）周りについては、従来より、所要の防水対策が講じられてきたところである。
【０００３】
たとえば、下記の特許文献１には、充電コネクタの防水構造が示されている（以下、従来技術という。）。詳細には、充電コネクタのシェルにゴム製シール部材を装着し、さらに、このゴム製シール部材の外周溝に携帯機器の上筐体と下筐体のエッジを挟み込むという構造を有しており、コネクタから入り込んだ雨水等をゴム製シール部材で阻止するという仕組みになっている。
【先行技術文献】
【特許文献】
【０００４】
【特許文献１】特開２００９−１７６７３４号公報（図４、図５参照）
【考案の概要】
【考案が解決しようとする課題】
【０００５】
しかしながら、従来技術の防水対策は、要するにゴム製シール部材の弾性力を利用しているに過ぎず、たとえば、ゴムの弾性力は時間の経過と共に徐々に失われるから、長期にわたって防水性能を維持できないという問題点がある。
つまり、ある隙間に縮設されたゴム製素材は、当初は自己の弾性力によってその隙間を完全に埋めているので、これによって所要の防水効果を奏することができるものの、時間の経過に伴って弾性力が失われたゴム製素材は、単なる硬質部材に変質するため、最悪のケースでは、隙間を完全に埋めることができなって防水性能の低下を招くからである。
また、従来技術では、充電コネクタのシェルにゴム製シール部材を装着する必要があるが、その際に、ゴム製シール部材を拡大変形させてシェルに装着するという手間のかかる作業が生じるという問題点もある。
【０００６】
そこで、本考案の目的は、長期にわたって防水性能を維持することができ、また、手間のかかる作業の回避を図ることができる部品固定構造を提供することにある。
【課題を解決するための手段】
【０００７】
請求項１記載の考案は、シール部材を介して筐体の外面に取り付けられる第１の部品と、前記第１の部品に対して前記筐体の内部方向への付勢力を付与するための第２の部品とを備えたことを特徴とする携帯機器の部品固定構造である。
請求項２記載の考案は、前記第２の部品は、前記筐体の内部で前記第１の部品の被係合部と係合する係合部を有し、該係合部が前記第１の部品の被係合部と係合する際に前記付勢力を発生することを特徴とする請求項１に記載の携帯機器の部品固定構造である。
請求項３記載の考案は、前記第２の部品は、前記筐体の内部に実装されている音響部品に対して押し付け力を付与する押し付け部を有していることを特徴とする請求項１に記載の携帯機器の部品固定構造である。
請求項４記載の考案は、前記第２の部品は、前記筐体の内部に敷設される軟性伝送線路を案内する案内部を有していることを特徴とする請求項１に記載の携帯機器の部品固定構造である。
【考案の効果】
【０００８】
本考案によれば、シール部材を介して筐体の外面に取り付けられる第１の部品に対して筐体の内部方向への付勢力を付与するための第２の部品を備えたので、その付勢力により、シール部材を確実に圧縮して防水性能を高めることができ、且つ、第１の部品を確実に固定することができる。したがって、長期にわたって防水性能の維持を図ることができるうえ、さらに、シール部材に、たとえば、両面テープといった簡単なものを用いることができ、手間のかかる作業の回避を図ることができる携帯機器の部品固定構造を提供することができる。
【図面の簡単な説明】
【０００９】
【図１】携帯情報端末の外観図である。
【図２】筐体２の組み立て図である。
【図３】図２のＡ部拡大図である。
【図４】図２のＡ−Ａ矢視断面図である。
【図５】図４のＢ部拡大図である。
【図６】Ｂ部の組み立て状態を示す図である。
【図７】ロック部材１２の二つの変形例を示す図である。
【考案を実施するための形態】
【００１０】
以下、本考案の実施形態を、携帯情報端末への適用を例にして、図面を参照しながら説明する。
図１は、携帯情報端末の外観図である。この図において、携帯情報端末（以下、ＰＤＡという。）１は、筐体２の主面（表面）にタッチパネル付の表示部３と、多数のキー４ａからなるキー入力部４とを備えており、さらに、筐体２の短辺側の一方側面に複数の接点５ａを有する外部接続端子５を備えている。なお、これら以外にも、たとえば、スピーカ拡声孔やマイク集音孔、各種機能ボタン、メモリカード等の記録メディアスロット、ＵＳＢ等の汎用コネクタなどが備えられているが、図面の輻輳を避けるため、説明を割愛する。
【００１１】
筐体２は、二つのケース６、７で構成されている。一方のケース６は、筐体２の主面（表示部３を有する面）を構成しており、以下、この一方のケース６を便宜的に「主面側ケース６」ということにし、他方のケース７を便宜的に「裏面側ケース７」ということにする。
【００１２】
図２は、筐体２の組み立て図である。この図において、上下反転して机上等に置かれた主面側ケース６には、外部接続端子５や表示部３が組み込まれていると共に、他の部品、たとえば、電子回路基板８、マイク９、スピーカ１０、軟性伝送線路（ここではフレキシブルフラットケーブル１１）及び後で詳しく説明するロック部材１２などが組み込まれている。筐体２の組み立ては、裏返しにされた主面側ケース６の上に裏面側ケース７を乗せ、両ケースの縁を合わせ、所定の嵌合機構（たとえば、ネジ止めや嵌め合わせ又はそれらの併用によるもの。）により嵌合させて行われる。
【００１３】
図３は、図２のＡ部拡大図である。なお、この図は、Ａ部における各部品の取り付け方法を示している。すなわち、電子回路基板８やマイク９及びスピーカ１０はそれぞれすでに定位置に取り付けられているが、外部接続端子５については、主面側ケース６の短辺側の外面に両面テープ１３（所定の厚みを有する弾性シートの両面に接着剤が塗布されたもの。）で貼り付けられるようになっており、加えて、その貼り付け状態で、外部接続端子５の裏面に突出形成された２つの基部１４、１４と、それらの基部１４、１４の上に形成された２本の鉤状突起１５、１５とが主面側ケース６の短辺側面に形成された矩形孔１６に差し込まれるようになっている。また、ロック部材１２については、外部接続端子５の貼り付け後に、主面側ケース６の所定位置にネジ止めされるようになっており、詳細には、３本のネジ１７、１７、１７をロック部材１２のネジ孔１８〜１９にそれぞれ通し、主面側ケース６のネジ受け部２０〜２２にねじ込むことによって取り付けられるようになっている。
【００１４】
ここで、外部接続端子５は、外面側（図面の裏側の面）に複数の接点（図１の接点５ａ参照）が取り付けられた横長矩形状のプレート２３と、このプレート２３の両短辺付近にそれぞれ突出形成された上記の２つの基部１４、１４と、プレート２３の内面側に取り付けられた一の端子基板２４と、２つの基部１４、１４の間に掛け渡して取り付けられた二の端子基板２５とを有しており、さらに、この図では省略しているが、上記のフレキシブルフラットケーブル１１（図２参照）の一端側が二の端子基板２５に接続されている。
【００１５】
また、ロック部材１２は、主面側ケース６の幅方向内寸よりも若干短めの長さを持つ本体部２６と、その本体部２６の両端付近及び中ほどの所定位置に形成された３つのネジ孔１８〜１９と、前記の外部接続端子５の２本の鉤状突起１５、１５の先端が差し込まれる２つの貫通孔２７、２８と、本体部２６の両端付近の下面側に水平方向に飛び出して形成された二つの押し付け部（以下、第１押し付け部２９、第２押し付け部３０）と、本体部２６の上面にヒレ状に突き出して等間隔に配列形成された複数の半円盤状部３１とを有し、好ましくは、これらの各部をプラスチック等の成型素材を用いて一体形成している。
【００１６】
本実施形態のＰＤＡ１は、概略、以上の構成を有するが、本考案の目的、つまり、「長期にわたって防水性能を維持することができ、また、手間のかかる作業の回避を図る」ことを実現するのに必要な特徴的構成について、具体的に説明する。
【００１７】
まず、本実施形態において、防水対策の対象部品は「外部接続端子５」である。これは、外部接続端子５は筐体２の外部に露出し、且つ、この外部接続端子５から筐体２の内部へ電源や信号等の伝達線（本実施形態ではフレキシブルフラットケーブル１１：図２参照）を引き込まなければならないからである。
【００１８】
さて、先にも説明したとおり、本実施形態における外部接続端子５は、主面側ケース６の短辺側の外面に両面テープ１３で貼り付けられるため、この両面テープ１３によって必要な防水対策が講じられるものの、当該部品（外部接続端子５）の固定、すなわち、主面側ケース６へ強固に取り付けるという点で見た場合、両面テープ１３の接着力だけでは不十分である。
【００１９】
これは、近年の携帯機器にあっては、いわゆるドッキングステーションなどと呼ばれる充電台兼用の外部接続機器を使用する傾向にあり、充電用の外部電源接点に加えて、たとえば、データ伝送信号などの多くの信号接点が必要になっているからであり、これに伴い、外部接続端子５が大きくなって質量が増す結果、両面テープ１３の接着力だけでは、外部接続端子５の固定状態を確実に維持できなくなってきているからである。また、両面テープ１３の接着力や弾性力も永久不変ではなく、時間の経過に伴って徐々に低下するため、当初は充分であった防水性能や外部接続端子５の固定状態も長期にわたってその良好な状態を維持できないからである。
【００２０】
そこで、本実施形態では、両面テープ１３を用いて主面側ケース６に外部接続端子５を貼り付けると共に、さらに、ロック部材１２を用いて主面側ケース６の内側から外部接続端子５を固定することにより、両面テープ１３による外部接続端子５の防水対策と、両面テープ１３とロック部材１２とによる外部接続端子５の確実な固定とを両立させるようにしている。
【００２１】
図４は、図２のＡ−Ａ矢視断面図であり、図５は、図４のＢ部拡大図である。これらの図に示すように、外部接続端子５は、両面テープ１３を用いて主面側ケース６の短辺側面に貼り付けられており、その貼り付け状態において、外部接続端子５の基部１４が主面側ケース６の矩形孔１６に差し込まれると共に、その基部１４の上に形成された鉤状突起１５が主面側ケース６の内部に所定量入り込むようになっている。そして、この外部接続端子５の鉤状突起１５の位置にロック部材１２が取り付けられると、この取り付け状態において、外部接続端子５の鉤状突起１５がロック部材１２の貫通孔２７に差し込まれて係合するようになっている。また、それと同時に、ロック部材１２の第１押し付け部２９によってスピーカ１０が上から押さえ付けられる（この図では隠れて見えないが、同時にロック部材１２の第２押し付け部３０によってマイク９が上から押さえ付けられる）ようにもなっている。
【００２２】
図６は、Ｂ部の組み立て状態を示す図である。
まず、（ａ）に示すように、主面側ケース６の矩形孔１６の外側縁部を一周して両面テープ１３を貼り付け、その矩形孔１６からフレキシブルフラットケーブル１１と外部接続端子５とを差し込み、外部接続端子５と主面側ケース６とを両面テープ１３で接着する。
次に、（ｂ）に示すように、外部接続端子５の鉤状突起１５の位置にロック部材１２の貫通孔２７が来るようにロック部材１２の位置合わせを行った後、ロック部材１２の上にフレキシブルフラットケーブル１１を乗せ、半円盤状部３１の曲面に沿うようにしてフレキシブルフラットケーブル１１の形を整える。
そして、最後に、（ｃ）に示すように、ロック部材１２のネジ孔１８にネジ１７を差し込み、そのネジ１７の先端を主面側ケース６のネジ受け部２０にねじ込むことにより、Ｂ部の組み立てが完了する。なお、このとき、フレキシブルフラットケーブル１１の要所を不図示の両面テープで貼り付けることが望ましい。たとえば、ロック部材１２の側面や半円盤状部３１の表面等に貼り付けてもよい。
【００２３】
本実施形態のＢ部、すなわち、外部接続端子５やロック部材１２は、以上の手順で組み立てられるが、そのポイントは、以下の点である。
（１）外部接続端子５の防水は両面テープ１３によって得られる。
（２）外部接続端子５の主面側ケース６への固定は、両面テープ１３の接着力に加え、外部接続端子５の鉤状突起１５とロック部材１２の貫通孔２７との係合によって得られる。
（３）さらに、ロック部材１２の役目は（２）の外部接続端子５の固定だけでなく、他の部品を固定する役目も果たす。他の部品とは、マイク９やスピーカ１０といった音響部品である。ロック部材１２をネジ止めすると、その第１押し付け部２９でスピーカ１０が押さえ付けられると共に、同時に、その第２押し付け部３０でマイク９が押さえ付けられるからである。
（４）さらにまた、ロック部材１２に沿って這わされたフレキシブルフラットケーブル１１の要所を不図示の両面テープで貼り付けるようにすれば、このフレキシブルフラットケーブル１１を動かないようにすることができ、したがって、ロック部材１２は、このフレキシブルフラットケーブル１１を固定する役目も果たす。
【００２４】
したがって、本実施形態によれば、（１）によって所要の防水性能を確保でき、また、（２）によって部品（ここでは外部接続端子５）を固定できるうえ、さらに、（３）と（４）によって他の部品（マイク９、スピーカ１０及びフレキシブルフラットケーブル１１）も固定することができるという格別の効果が得られる。
【００２５】
ちなみに、外部接続端子５の固定理由は、先にも説明したとおり、大型化（したがって質量の増加）の傾向があるからであり、両面テープ１３の接着力だけでは心許ないからである。
【００２６】
一方、マイク９やスピーカ１０及びフレキシブルフラットケーブル１１の固定理由は、以下のとおりである。まず、マイク９やスピーカ１０といった音響部品の取り付けがしっかりしていない場合、音のビビリやこもりが生じて音質悪化を招くが、筐体２にしっかりと固定しておけば、そのような音質悪化を招かないことが経験的に知られているからである。また、フレキシブルフラットケーブル１１にあっては、とりわけ高周波信号を伝送する場合に、フレキシブルフラットケーブル１１が揺れ動くと信号特性が変動することがあり、伝送に支障をきたすからである。したがって、これらのマイク９やスピーカ１０及びフレキシブルフラットケーブル１１をしっかりと固定できる本実施形態のロック部材１２は有益であり、しかも、一つの部品で複数の固定用途に供することができる本実施形態のロック部材１２は、部品点数を削減できるというコストメリットもある。
【００２７】
また、外部接続端子５の防水と固定をより確実にするためには、以下のようにすることが好ましい。
すなわち、図６（ｂ）において、外部接続端子５の主面側ケース６への差込方向を線３３で表し、外部接続端子５の鉤状突起１５の係止面（ロック部材１２の貫通孔２７、２８に係止する面）の面方向を線３４で表すことにすると、これら二つの線３３、３４の交わる角度αが９０度を上回る角度（鈍角）となるように、外部接続端子５の鉤状突起１５の係止面の傾斜角度を設定することが好ましい。
【００２８】
このようにすると、図６（ｃ）において、ロック部材１２をネジ止めする際に、そのロック部材１２の下方向移動（白抜き矢印３５参照）に伴い、外部接続端子５に対して、主面側ケース６の内部方向（線３３に沿った方向：白抜き矢印３６参照）への移動を促す付勢力が生じ、この付勢力で両面テープ１３が挟み込まれる結果、両面テープ１３の粘着力を補助して防水性の向上を図り、且つ、外部接続端子５をより確実に固定することができるので好ましい。
【００２９】
また、ロック部材１２を以下のように変形してもよい。
図７は、ロック部材１２の二つの変形例を示す図であり、（ａ）に示す第１の変形例は、複数の半円盤状部３１の代わりに長手方向に連続した一つの蒲鉾状部３１ａを設けたもの、（ｂ）に示す第２の変形例は、短めの蒲鉾状部３１ｂを設けたものである。これらの第１及び第２の変形例を含めて、いずれの形のロック部材１２を使用するかは、もっぱらフレキシブルフラットケーブル１１の仕様（幅や硬さ等）を考慮して適宜に決定すればよい。
【００３０】
なお、以上の実施形態では、ＰＤＡへの適用を例にしたが、これに限定されない。外部接続端子等の防水対策を必要とする部品を備える携帯機器であればよく、たとえば、携帯電話機、携帯型パソコン、携帯辞書端末、携帯ゲーム機、デジタルカメラなどであってもよい。
【符号の説明】
【００３１】
２  筐体
５  外部接続端子（第１の部品）
９  マイク（音響部品）
１０  スピーカ（音響部品）
１１  フレキシブルフラットケーブル（軟性伝送線路）
１２  ロック部材（第２の部品）
１３  両面テープ（シール部材）
１５  鉤状突起（被係合部）
２７  貫通孔（係合部）
２８  貫通孔（係合部）
２９  第１押し付け部（押し付け部）
３０  第２押し付け部（押し付け部）
３１  半円盤状部（案内部）
３６  白抜き矢印（付勢力）
【図１】
0003155689.tif 000003
【図２】
0003155689.tif 000004
【図３】
0003155689.tif 000005
【図４】
0003155689.tif 000006
【図５】
0003155689.tif 000007
【図６】
0003155689.tif 000008
【図７】
0003155689.tif 000009